(57)【要約】      （修正有）【課題】利用可能なチャネルの設定を漏れなく短時間に完了することのできる受信機、受信方法を提供する。【解決手段】チャネルリストを記憶可能なメモリと、所定の周波数帯域の一部の周波数をスキャンする高速スキャンを実行して、該高速スキャンにより受信されたチャネルに対応するサービスの情報を含む第１のサービス情報を取得し、取得した第１のサービス情報に基づいてチャネルリストを生成し、メモリに記憶するチャネルリスト生成モジュールと、第１のチューナによる高速スキャンと並行して、所定の周波数帯域の全域の周波数をスキャンするフルスキャンを実行して、該フルスキャンにより受信されたチャネルに対応するサービスの情報を含む第２のサービス情報を取得し、該フルスキャンの完了後、第２のサービス情報に基づいて、メモリに記憶されたチャネルリストを更新するチャネルリスト更新モジュールとを具備する。【選択図】図２
2011055114.tif 000002
【特許請求の範囲】
【請求項１】
受信可能なチャネルを列挙したチャネルリストに基づいて受信するチャネルを選択する受信機であって、
前記チャネルリストを記憶可能なメモリと、
所定の周波数帯域の一部の周波数をスキャンする高速スキャンを実行して、該高速スキャンにより受信された前記チャネルに対応するサービスの情報を含む第１のサービス情報を取得する第１のチューナと、
前記第１のチューナが取得した前記第１のサービス情報に基づいて前記チャネルリストを生成し、前記メモリに記憶するチャネルリスト生成モジュールと、
前記第１のチューナによる高速スキャンと並行して、前記所定の周波数帯域の全域の周波数をスキャンするフルスキャンを実行して、該フルスキャンにより受信された前記チャネルに対応するサービスの情報を含む第２のサービス情報を取得する第２のチューナと、
前記第２のチューナによる前記フルスキャンが完了した後、前記第２のサービス情報に基づいて、前記メモリに記憶された前記チャネルリストを更新するチャネルリスト更新モジュールと
を具備したことを特徴とする受信機。
【請求項２】
ユーザからの指示を受け付ける入力デバイスをさらに具備し、
前記第１のチューナは、前記高速スキャンの終了に伴い前記チャネルリスト生成モジュールにより生成されたチャネルリストおよび前記入力デバイスが受け付けた前記指示に基づいて、受信したチャネルから所定の放送波を選択すること
を特徴とする請求項１記載の受信機。
【請求項３】
前記第２のチューナは、前記所定の周波数帯域を分割し、該分割された周波数帯域それぞれの全域の周波数をスキャンする複数のチューナユニットを備え、該複数のチューナユニットそれぞれのスキャン結果を結合し、前記フルスキャンの結果として出力すること
を特徴とする請求項１記載の受信機。
【請求項４】
前記第１のチューナから与えられる信号を復調する復調部をさらに備え、
前記第１のチューナは、前記チャネルリスト生成モジュールにより生成され前記メモリに記憶されたチャネルリストに基づいて、受信したチャネルから所定の放送波を選択して前記復調部に与えること
を特徴とする請求項１記載の受信機。
【請求項５】
前記第１のチューナは、前記第２のチューナによるフルスキャンが完了する前に、前記チャネルリストに基づいて、前記受信したチャネルから所定の放送波を選択して前記復調部に与えること
を特徴とする請求項４記載の受信機。
【請求項６】
受信可能なチャネルを列挙したチャネルリストに基づいて受信するチャネルを選択する受信機における受信方法であって、
所定の周波数帯域の一部の周波数をスキャンする高速スキャンを実行し、
前記高速スキャンと並行して、前記所定の周波数帯域の全域の周波数をスキャンするフルスキャンを実行し、
前記高速スキャンにより受信された前記チャネルに対応するサービスの情報を含む第１のサービス情報を取得し、
前記第１のサービス情報に基づいて前記チャネルリストを生成してメモリに記憶し、
前記フルスキャンにより受信された前記チャネルに対応するサービスの情報を含む第２のサービス情報を取得し、
前記第２のサービス情報に基づいて、前記メモリに記憶された前記チャネルリストを更新すること
を特徴とする受信方法。
【発明の詳細な説明】
【技術分野】
【０００１】
本発明は、所定の周波数帯域の中から受信可能なチャネルを探索することのできる受信機に関する。
【背景技術】
【０００２】
通信や放送のデジタル化とデータの圧縮技術の進歩に伴い、アナログの通信や放送と比較して非常に多くのチャネルを運用することが可能になってきた。特に、デジタル放送を受信する受信機として、地上デジタル放送、ケーブルデジタル放送、衛星デジタル放送など複数の方式に対応可能な受信機が普及している。
【０００３】
複数の方式に対応した受信機、特に放送を受信する受信機では、受信対象として有効な周波数帯域が非常に広いため、当該周波数帯域から利用するチャネルを探索してチャネル設定する機能が求められる。デジタル放送を例に取ると、チャネルを探索する手段として、有効な周波数帯域全域をスキャンするフルスキャンと、有効な周波数帯域の一部帯域を優先してスキャンし高速化した高速スキャンとが知られている（例えば特許文献１）。
【０００４】
しかし、有効な周波数帯域の全域をスキャンする場合、放送に利用される周波数帯域は数百ＭＨｚに及ぶため、チャネル設定を完了してユーザが視聴可能になるまでに長い時間を要してしまう。一方、周波数帯域の一部帯域を優先して高速スキャンする場合、優先するルールによってはスキャンされない周波数が生じるため、利用可能なチャネル全てを網羅できなくなる可能性がある。
【先行技術文献】
【特許文献】
【０００５】
【特許文献１】特開２００５−３０３５２６
【発明の概要】
【発明が解決しようとする課題】
【０００６】
このように、従来の受信機、受信方法では、利用可能なチャネルの設定を漏れなく短時間に完了することは困難であった。本発明はかかる課題を解決するためになされたもので、利用可能なチャネルの設定を漏れなく短時間に完了することのできる受信機、受信方法を提供することを目的とする。
【課題を解決するための手段】
【０００７】
上記した目的を達成するために、本発明の一つの態様に係る受信機は、受信可能なチャネルを列挙したチャネルリストに基づいて受信するチャネルを選択する受信機であって、チャネルリストを記憶可能なメモリと、所定の周波数帯域の一部の周波数をスキャンする高速スキャンを実行して、該高速スキャンにより受信されたチャネルに対応するサービスの情報を含む第１のサービス情報を取得する第１のチューナと、第１のチューナが取得した第１のサービス情報に基づいてチャネルリストを生成し、メモリに記憶するチャネルリスト生成モジュールと、第１のチューナによる高速スキャンと並行して、所定の周波数帯域の全域の周波数をスキャンするフルスキャンを実行して、該フルスキャンにより受信されたチャネルに対応するサービスの情報を含む第２のサービス情報を取得する第２のチューナと、第２のチューナによるフルスキャンが完了した後、第２のサービス情報に基づいて、メモリに記憶されたチャネルリストを更新するチャネルリスト更新モジュールとを具備する。
【発明の効果】
【０００８】
本発明の受信機、受信方法によれば、利用可能なチャネルの設定を漏れなく短時間に完了することができる。
【図面の簡単な説明】
【０００９】
【図１】第１の実施形態の受信機の構成を示すブロック図である。
【図２】第１の実施形態の受信機におけるチャネル制御モジュールの機能構成を示すブロック図である。
【図３】第１の実施形態の受信機のチャネルリスト生成動作を示すフローチャートである。
【図４】第２の実施形態の受信機の構成を示すブロック図である。
【図５】第２の実施形態の受信機におけるチャネル制御モジュールの機能構成を示すブロック図である。
【図６】第２の実施形態の受信機におけるフルスキャン動作を示すフローチャートである。
【発明を実施するための形態】
【００１０】
以下、本発明の実施形態を図面に基づき説明する。図１は、本発明の第１の実施形態に係る受信機１を示すブロック図である。
【００１１】
図１に示すように、この実施形態の受信機１は、例えば録画機能を有するデジタルテレビジョンである。受信機１は、アンテナ１１、第１チューナ１２ａおよび第２チューナ１２ｂ、逆多重化モジュール１３、記憶部１４、再生処理モジュール１５、ビデオデコーダ１６、オーディオデコーダ１７、画像処理モジュール１８、表示デバイス１９、音声処理モジュール２０、スピーカ２１、ＣＰＵ２２、フラッシュＲＯＭ２３、チャネル制御モジュール２４および入力デバイス２５を備えており、互いにバス２６により接続されている。
【００１２】
第１チューナ１２ａは、アンテナ１１から取り込まれる信号から所望の放送波（放送局）を選局する。第１チューナ１２ａは、所定の周波数帯域、例えば放送に用いられる全周波数帯域から任意のチャネル（周波数）を受信可能であり、外部からの制御により任意の周波数帯域のスキャン動作を行うことができる。なお、図１に示す実施形態では、第１チューナ１２ａは、アンテナ１１から取り込まれる信号から所望の放送波を選局しているが、ケーブルテレビ局などからケーブルを介して取り込まれる信号から所望の放送波を選局してもよい。第２チューナ１２ｂは、第１チューナ１２ａと共通の構成および機能を有しており、第１チューナ１２ａと同様アンテナ１１から取り込まれる信号から所望の放送波を選局する。
【００１３】
逆多重化モジュール１３は、放送波に多重化されていた映像信号、音声信号をそれぞれ分離してビデオデコーダ１６、オーディオデコーダ１７へそれぞれ出力する。再生処理モジュール１５は、ビデオデコーダ１６およびオーディオデコーダ１７を制御し、逆多重化モジュール１３にて分離されたコンテンツを再生（デコード）する。
【００１４】
ビデオデコーダ１６は、逆多重化モジュール１３で分離された映像信号を復号し、復号したデジタル映像信号を画像処理モジュール１８へ出力する。一方、オーディオデコーダ１７は、逆多重化モジュール１３で分離された音声信号を復号し、復号したデジタル音声信号を音声処理モジュール２０へ出力する。すなわち、逆多重化モジュール１３、ビデオデコーダ１６およびオーディオデコーダ１７は、この実施形態の受信機１における復調器として機能する。
【００１５】
記憶部１４は、例えばハードディスクドライブや、記録型の光ディスクに書き込み可能な光ディスクドライブなどを備えており、ビデオデコーダ１６およびオーディオデコーダ１７によりデコードされる前の状態で、受信した放送番組などのコンテンツを保存する。なお、記憶部１４は、ＤＶＤレコーダや外付けＨＤＤなどの外部記憶装置であってもよいし、内蔵ＨＤＤやフラッシュメモリなどの内部記憶装置であってもよい。
【００１６】
画像処理モジュール１８および音声処理モジュール２０は、復号されたデジタル映像信号およびデジタル音声信号に対し、所定の音声処理や画像処理を行い、処理後の映像信号および音声信号を表示デバイス１９およびスピーカ２１にそれぞれ出力する。
【００１７】
フラッシュＲＯＭ２３は、チャネルリスト２３ａを記憶するメモリである。チャネルリスト２３ａは、この受信機１が受信可能なチャネル、あるいは当該チャネルに対応しユーザに提供される番組名などのサービスを列挙したデータテーブルである。チャネル制御モジュール２４は、第１チューナ１２ａおよび第２チューナ１２ｂを制御して放送波を選局するとともに、第１チューナ１２ａおよび第２チューナ１２ｂを制御してチャネルリスト２３ａを生成・更新する機能を有する。
【００１８】
入力デバイス２５は、例えば操作スイッチやリモートコントロール装置などの入力インタフェースである。ＣＰＵ２２（Central Processing Unit）は、入力デバイス２５を介して入力されたユーザの指示信号に基づいて、受信機１を構成する各機能要素を制御する。
【００１９】
続いて、図２および図３を参照して、この実施形態の受信機１におけるチャネル制御モジュール２４について詳細に説明する。図２に示すように、この実施形態のチャネル制御モジュール２４は、第１チューナ制御モジュール３１、第２チューナ制御モジュール３２、ＮＩＴスキャン制御モジュール３３、チャネルリスト生成モジュール３４、チャネル選択モジュール３５およびチャネルリスト編集モジュール３６を有している。
【００２０】
この実施形態の受信機１では、ユーザが利用可能なチャネルおよびチャネルごとに提供されるサービスの情報をあらかじめ取得するため、初期動作としてチャネルリスト２３ａを作成する。すなわち、チャネルリスト２３ａは、受信機１が受信可能な全チャネルと、当該チャネルそれぞれを用いて提供されるサービス（コンテンツ／番組名など）が含まれている。
【００２１】
チャネルリスト２３ａの生成は、有効な周波数帯域全域から探索しなければならないが、全周波数帯域をスキャンした場合、膨大な時間を要してしまう。一方、あらかじめ探索する周波数帯域を一部に絞ることで探索時間の短縮化が可能であるが、全てのチャネルを網羅できない可能性がある。そこで、この実施形態の受信機１では、一部の周波数帯域のみをスキャンするチューナと全周波数帯域をスキャンするチューナを備えて、チャネルリスト作成を漏れなく高速化することを可能とした。
【００２２】
第１チューナ制御モジュール３１は、第１チューナ１２ａを制御してチャネル選択を実行する。また、第１チューナ制御モジュール３１は、第１チューナ１２ａを制御して、第１チューナ１２ａの受信可能周波数帯域のうち、一部の周波数を優先的にスキャンする高速スキャンを実行する。すなわち、第１チューナ制御モジュール３１は、第１チューナ１２ａの制御と高速スキャン制御の２つの機能を有している。高速スキャンには様々な方法が提案されているが、この実施形態ではデジタルの放送波に含まれているＮＩＴ情報を用いて探索すべき周波数帯域を減らす方法を用いている。
【００２３】
ＮＩＴ情報（ＮＩＴ：Network Information Table）は、ネットワーク内のチャネル構成情報（チャネルの配列情報）や、それに対応する周波数などチャネルの情報を含むテーブルであり、デジタルの放送波に含まれている。この他、放送波には、編成チャネルや委託放送事業者名など編成チャネルに関するサービスの情報が記述されたＳＤＴ（Service Description Table）や、番組名・放送日時・番組内容など番組に関する情報が記述されたＥＩＴ（Event Information Table）が含まれている。
【００２４】
ＳＤＴやＥＩＴには、それらが伝送されているチャネルに対応する情報である自局情報（actual）と、共通するネットワーク（共通するＮＩＴ）に属する他のチャネルに対応する情報である他局情報（other）とが存在する。すなわち、自局情報および他局情報を持つＮＩＴを得ることができれば、そのチャネルの変調方式、シンボルレート、中心周波数、対応するサービス名（番組名）だけでなく、ネットワーク内のチャネルの配列情報や他のチャネルの情報をも得ることが可能になる。この実施形態の第１チューナ制御モジュール３１は、この仕組みを利用してスキャンする周波数の絞り込みを行い、スキャンを高速化している。ＮＩＴスキャン制御モジュール３３は、こうしたＮＩＴを用いたスキャン制御を実行する。以下の説明では、かかる方法による高速スキャンをＮＩＴスキャンと称することがある。
【００２５】
第２チューナ制御モジュール３２は、第２チューナ１２ｂを制御してチャネル選択を実行する。また、第２チューナ制御モジュール３２は、第２チューナ１２ｂを制御して、第２チューナ１２ｂの受信可能周波数帯域の全域をスキャンするフルスキャンを実行する。第２チューナ１２ｂおよび第２チューナ制御モジュール３２によるフルスキャン動作は、第１チューナ１２ａおよび第１チューナ制御モジュール３１による高速スキャンと同時並行に実行される。第２チューナ１２ｂおよび第２チューナ制御モジュール３２によるフルスキャンのスキャン結果は、チャネルリスト編集モジュール３６に送られる。
【００２６】
チャネルリスト生成モジュール３４は、ＮＩＴスキャン制御モジュール３３が実行したスキャンにより得られたＮＩＴに基づいてチャネルリスト２３ａを生成する。チャネルリスト２３ａは、受信機１が受信可能なチャネルおよび対応する番組情報等を列挙したリストである。チャネルリスト２３ａは、入力デバイス２５を介して受け付けられたユーザからの指示信号に基づいて、表示デバイス１９を通じてユーザに提供される。また、チャネルリスト２３ａは、第１チューナ１２ａや第２チューナ１２ｂが選局動作を行うための基礎情報である。
【００２７】
チャネル選択モジュール３５は、入力デバイス２５から入力されたユーザの指示信号およびチャネルリスト２３ａに基づいて、第１チューナ１２ａおよび第２チューナ１２ｂのチャネル選択を制御する。すなわち、チャネル選択モジュール３５は、受信機１の選局動作を実行する機能を有する。
【００２８】
チャネルリスト編集モジュール３６は、フラッシュＲＯＭ２３に記憶されたチャネルリスト２３ａを編集する。第１チューナ１２ａおよび第１チューナ制御モジュール３１による高速スキャンと第２チューナ１２ｂおよび第２チューナ制御モジュール３２によるフルスキャンとを比較すると、両者を同時並行して開始した場合、前者の方が早く完了する。そして、高速スキャンの結果が得られ次第、チャネルリスト生成モジュール３４は、当該高速スキャンの結果に基づいてチャネルリストを生成する。このとき生成されるチャネルリストは、スキャンする周波数を絞った高速スキャンにより得られたものであるから、他にも有効なチャネルが存在する可能性がある。そこで、チャネルリスト編集モジュール３６は、フルスキャンの結果に基づいて、チャネルリストの内容を事後的に更新する。具体的には、チャネルリスト編集モジュール３６は、チャネルリスト生成モジュール３４が生成したチャネルリストの内容とフルスキャンの結果とを比較し、チャネルリストに加えるべき情報を追加する。
【００２９】
次に、図１ないし図３を参照して、この実施形態の受信機１におけるチャネル制御モジュール２４の動作を説明する。
【００３０】
フラッシュＲＯＭ２３にチャネルリスト２３ａが記憶されていない初期状態で電源が投入されたり、入力デバイス２５を介してユーザからリセット等の指示信号が入力されたりすると、ＣＰＵ２２は、チャネル制御モジュール２４にチャネルリストの生成を指示する。指示を受けると、第１チューナ制御モジュール３１は、第１チューナ１２ａを起動させてＮＩＴスキャン動作を開始する。例えば、第１チューナ制御モジュール３１は、第１チューナ１２ａの受信可能周波数の最低周波数から所定の周波数ステップで周波数スキャンを開始する（ステップ４１。以下「Ｓ４１」のように表す）。第１チューナ１２ａは、周波数スキャンの間に受信した信号を第１チューナ制御モジュール３１に送る。ここで、チャネルリスト２３ａが存在しない場合や第１チューナ１２ａがスキャン動作を行っている場合、チャネル選択モジュール３５（および第１チューナ１２ａ）は、ユーザからのチャネル選択指示を受け付けることができない。すなわち、ユーザは番組等の視聴を行うことができない状態となる。
【００３１】
第１チューナ制御モジュール３１がＮＩＴスキャン動作を開始するのと並行して、第２チューナ制御モジュール３２は、第２チューナ１２ｂを起動させてフルスキャン動作を開始する。例えば、第２チューナ制御モジュール３２は、第２チューナ１２ｂの受信可能周波数の最低周波数から所定の周波数ステップで周波数スキャンを開始する（Ｓ４２）。第２チューナ１２ｂは、周波数スキャンの間に受信した信号を第２チューナ制御モジュール３２に送る。第１チューナ制御モジュール３１と同様に、チャネルリスト２３ａが存在しない場合や第２チューナ１２ｂがスキャン動作を行っている場合、チャネル選択モジュール３５（および第２チューナ１２ｂ）は、ユーザからのチャネル選択指示を受け付けることができない。
【００３２】
第１チューナ制御モジュール３１は、第１チューナ１２ａが受信した信号を受け取り、受信信号にＮＩＴが含まれているかチェックしている（Ｓ４３）。ＮＩＴが確認されるまで、第１チューナ制御モジュール３１は、第１チューナ１２ａを制御して受信周波数を所定の周波数ステップでスキャンさせ続けている（Ｓ４３のＮｏ）。
【００３３】
第１チューナ制御モジュール３１が受け取った受信信号にＮＩＴの存在を確認すると（Ｓ４３のＹｅｓ）、第１チューナ制御モジュール３１は、ＮＩＴをＮＩＴスキャン制御モジュール３３に送る。
【００３４】
ＮＩＴを受け取ると、ＮＩＴスキャン制御モジュール３３は、ＮＩＴに他局情報が含まれているかチェックする（Ｓ４４）。ＮＩＴに他局情報が含まれている場合、そのＮＩＴを用いて同一ネットワークに属する全ての放送波の情報を得ることができるからである。ＮＩＴに他局情報が含まれている場合（Ｓ４４のＹｅｓ）、ＮＩＴスキャン制御モジュール３３は、ＮＩＴから全局分のチャネル情報を抽出して第１チューナ制御モジュール３１に送る（Ｓ４５）。
【００３５】
ＮＩＴに他局情報が含まれていない場合（Ｓ４４のＮｏ）、ＮＩＴスキャン制御モジュール３３は、ＮＩＴの自局情報から周波数情報などを抽出する（Ｓ４６）。続いて、ＮＩＴスキャン制御モジュール３３は、抽出した周波数情報に基づいて、放送波の存在する可能性の高い周波数（探索優先周波数）を推定し、当該探索優先周波数を第１チューナ制御モジュール３１に送る。
【００３６】
探索優先周波数を受けると、第１チューナ制御モジュール３１は、当該探索優先周波数に基づいて第１チューナ１２ａのスキャン動作を続行する。すなわち、探索優先周波数およびその周辺の周波数のみのスキャン動作を続行する。かかるスキャン動作の結果、第１チューナ制御モジュール３１がＮＩＴを確認すると、第１チューナ制御モジュール３１はＮＩＴをＮＩＴスキャン制御モジュール３３に送る。ＮＩＴスキャン制御モジュール３３は、受け取ったＮＩＴから番組情報などのサービス情報を抽出し、抽出したサービス情報を第１チューナ制御モジュール３１に送る（Ｓ４７）。このスキャン動作は、探索優先周波数が全てスキャンされるまで繰り返される。最終的に、第１チューナ制御モジュール３１は、得られた全てのサービス情報を含むチャネル情報（探索優先周波数およびその周辺の周波数に存在する局の全てのチャネル情報）を取得し、第１チューナ１２ａおよび第１チューナ制御モジュール３１は、スキャン動作を停止する（Ｓ４５）。
【００３７】
全局分のチャネル情報を取得すると、第１チューナ制御モジュール３１は、取得したチャネル情報をチャネルリスト生成モジュール３４に送る。チャネルリスト生成モジュール３４は、受け取ったチャネル情報に基づいてチャネルリスト２３ａを生成して（Ｓ４８）、フラッシュＲＯＭ２３に記憶させる（Ｓ４９）。
【００３８】
スキャン動作が停止されると、第１チューナ制御モジュール３１は、第１チューナ１２ａの動作状態を通常動作に切り替える。通常動作は、入力デバイス２５を介したユーザからの指示信号とチャネルリスト２３ａとに基づいてチャネルを選択し、選択されたチャネルの受信信号を逆多重化モジュール１３へ送る動作である（Ｓ５０）。これにより、ユーザは、第２チューナ１２ｂがスキャン動作中であっても、チャネルリスト生成モジュール３４が生成したチャネルリスト２３ａに基づいて放送の受信が可能になる。
【００３９】
一方で、フルスキャンはＮＩＴスキャンよりも長い時間を要するから、第２チューナ制御モジュール３２は、チャネルリスト２３ａが生成された後も、第２チューナ１２ｂによるフルスキャン動作を継続している（Ｓ５１）。フルスキャン動作は、第１チューナ１２ａおよび第１チューナ制御モジュール３１による高速スキャンが終了し、第１チューナ１２ａが通常動作となった後も続けられる（Ｓ５１のＮｏ）。
【００４０】
第２チューナ１２ｂの受信可能周波数帯域の全域についてスキャンが終了すると（Ｓ５１のＹｅｓ）、第２チューナ制御モジュール３２は、フルスキャンの間に第２チューナ１２ｂから受け取った受信信号、ＮＩＴその他の情報に基づき、全周波数帯域に対応する全帯域チャネル情報を生成し、生成した全帯域チャネル情報はチャネルリスト編集モジュール３６に送られる。チャネルリスト編集モジュール３６は、フラッシュＲＯＭ２３に記憶されたチャネルリスト２３ａと第２チューナ制御モジュール３２から受け取った全帯域チャネル情報とを比較し、フラッシュＲＯＭ２３に記憶されたチャネルリスト２３ａに含まれていない情報を補充してチャネルリスト２３ａを更新する（Ｓ５２）。
【００４１】
チャネルリスト２３ａが更新されると、第２チューナ制御モジュール３２は、第２チューナ１２ｂのスキャン動作を停止させる（Ｓ５３）。なお、第２チューナ１２ｂを複数の放送波を同時受信するためのチューナとして用いることもできる。この場合、第２チューナ制御モジュール３２は、第２チューナ１２ｂのスキャン動作を停止させる代わりに、第２チューナ１２ｂの動作をスキャン動作から通常動作に切り替えればよい。
【００４２】
このように、この実施形態の受信機１によれば、放送波に含まれるＮＩＴを用いた高速スキャンと、受信可能周波数帯域全域をスキャンするフルスキャンとを並行して動作させ、高速スキャン終了後直ちにチャネルリストを生成するので、フルスキャンだけを行う場合と比較して短い時間で受信機１の受信動作を開始することができる。また、チャネルリストを高速スキャンにより早期に生成し、高速スキャンが完了次第チューナを通常のチューナとして機能させるので、ユーザは、並行して動作させたフルスキャンが動作中であっても早期に視聴を開始することができる。この実施形態の受信機１によれば、フルスキャン終了後にフルスキャンによって得られた情報に基づいて既に生成されたチャネルリストを更新するので、漏れのないチャネル情報を得ることができる。
【００４３】
続いて、図４ないし図６を参照して、第２の実施形態に係る受信機２について詳細に説明する。第２の実施形態に係る受信機２は、第１の実施形態に係る受信機１にチューナをさらに追加したものである。そこで、図４および図５において、第１の実施形態の受信機１と共通する要素については共通の符号を付して示し、重複する説明を省略する。
【００４４】
図４に示すように、この実施形態の受信機２は、第１の実施形態の受信機１の第１チューナ１２ａおよび第２チューナ１２ｂに加えて、第３チューナ１２ｃをさらに備えている。また、図５に示すように、この実施形態に係るチャネル制御モジュール１２４は、第１の実施形態の受信機１のチャネル制御モジュール２４に加えて、第３チューナ制御モジュール１３７およびスキャン周波数制御モジュール１３８をさらに備えている。
【００４５】
第３チューナ１２ｃは、第１チューナ１２ａおよび第２チューナ１２ｂと共通の構成および機能を有しており、第１チューナ１２ａおよび第２チューナ１２ｂと同様アンテナ１１から取り込まれる信号から所望の放送波を選局する。第３チューナ１２ｃは、第１の実施形態においてフルスキャン動作を行った第２チューナ１２ｂと対をなし、フルスキャン動作を実行する。
【００４６】
この実施形態における第２チューナ制御モジュール１３２は、第１の実施形態の第２チューナ制御モジュール３２と共通する構成および機能を有するが、第２チューナ１２ｂを制御して、第２チューナ１２ｂの所定の周波数帯域の全域をスキャンするフルスキャンを実行する点が相違する。すなわち、第２チューナ制御モジュール１３２は、第１の実施形態と異なり、与えられた周波数帯域の全域をフルスキャン動作する。
【００４７】
第３チューナ制御モジュール１３７は、第２チューナ制御モジュール１３２と対応し、第３チューナ１２ｃを制御してチャネル選択やチャネルスキャンを実行する。第３チューナ制御モジュール１３７は、第３チューナ１２ｃを制御して、所定の周波数帯域の全域をスキャンするフルスキャンを実行する。第３チューナ１２ｃおよび第３チューナ制御モジュール１３７によるフルスキャン動作は、第１チューナ１２ａおよび第１チューナ制御モジュール３１による高速スキャンならびに第２チューナ１２ｂおよび第２チューナ制御モジュール１３２によるフルスキャンと並行して実行される。第２チューナ１２ｂおよび第２チューナ制御モジュール１３２ならびに第３チューナ１２ｃおよび第３チューナ制御モジュール１３７によるフルスキャンのスキャン結果は、チャネルリスト編集モジュール３６に送られる。
【００４８】
スキャン周波数制御モジュール１３８は、第２チューナ１２ｂおよび第２チューナ制御モジュール１３２ならびに第３チューナ１２ｃおよび第３チューナ制御モジュール１３７が行うフルスキャン動作において、スキャン周波数を分割して第２チューナ制御モジュール１３２および第３チューナ制御モジュール１３７に割当てる。この実施形態では、フルスキャン動作するチューナは、第２チューナ１２ｂおよび第３チューナ１２ｃの二つであるから、スキャン周波数制御モジュール１３８は、受信機１の利用可能周波数帯域を二分割して、分割した周波数帯域それぞれを第２チューナ制御モジュール１３２および第３チューナ制御モジュール１３７に割当てる。
【００４９】
次に、図３ないし図６を参照して、この実施形態のチャネル制御モジュール１２４の動作のうち、フルスキャン動作について詳細に説明する。第２の実施形態に係る受信機２の動作は、第１の実施形態に係る受信機１の動作（図３に示すフローチャートにて表される動作）と基本的に共通し、フルスキャン動作（図３のＳ４２）のみ相違する。そこで、共通する事項は共通の符号を付して示し、共通する説明は省略する。
【００５０】
フラッシュＲＯＭ２３にチャネルリスト２３ａが記憶されていない初期状態で電源が投入されたり、入力デバイス２５を介してユーザからリセット等の指示信号が入力されたりすると、ＣＰＵ２２は、チャネル制御モジュール１２４にチャネルリストの生成を指示する。指示を受けると、第１チューナ制御モジュール３１は、第１チューナ１２ａを起動させてＮＩＴスキャン動作を開始する。例えば、第１チューナ制御モジュール３１は、第１チューナ１２ａの受信可能周波数の最低周波数から所定の周波数ステップで周波数スキャンを開始する（Ｓ４１）。第１チューナ１２ａは、周波数スキャンの間、受信した信号を第１チューナ制御モジュール３１に送る。
【００５１】
第１チューナ制御モジュール３１がＮＩＴスキャン動作を開始するのと並行して、第２チューナ制御モジュール１３２および第３チューナ制御モジュール１３７は、第２チューナ１２ｂおよび第３チューナ１２ｃをそれぞれ起動させる。第２チューナ１２ｂおよび第３チューナ１２ｃが起動すると、スキャン周波数制御モジュール１３８は、受信機２の利用可能周波数を二分割する（Ｓ６１）。この分割は、周波数を単純に二分割してもよいし、周波数の高さを考慮して一方の周波数帯域を他方よりも広くなるように分割してもよい。
【００５２】
続いて、スキャン周波数制御モジュール１３８は、分割されたそれぞれの周波数帯域を第２チューナ制御モジュール１３２および第３チューナ制御モジュール１３７に割当てる（Ｓ６２）。この実施形態の第２チューナ制御モジュール１３２および第３チューナ制御モジュール１３７は、与えられた周波数帯域の全域についてフルスキャン動作をするから、スキャン周波数制御モジュール１３８から周波数帯域の情報が与えられることで、フルスキャン動作の準備が完了する。
【００５３】
そして、第２チューナ制御モジュール１３２および第３チューナ制御モジュール１３７は、それぞれ与えられた周波数帯域の全域について、第２チューナ１２ｂおよび第３チューナ１２ｃを制御してそれぞれフルスキャン動作を実行する（Ｓ６３）。
【００５４】
フルスキャン動作が開始した後の第２の実施形態の受信機２の動作は、図３に示すステップ４３からステップ５０までと共通である。
【００５５】
第２チューナ１２ｂおよび第３チューナ１２ｃそれぞれが、割当てられた周波数帯域の全域についてスキャンが終了すると（Ｓ５１のＹｅｓ）、第２チューナ制御モジュール１３２および第３チューナ制御モジュール１３７は、フルスキャンの間に第２チューナ１２ｂおよび第３チューナ１２ｃそれぞれから受け取った受信信号、ＮＩＴその他の情報に基づき、全周波数帯域に対応する全帯域チャネル情報を生成し、生成した全帯域チャネル情報はチャネルリスト編集モジュール３６に送られる。チャネルリスト編集モジュール３６は、フラッシュＲＯＭ２３に記憶されたチャネルリスト２３ａと第２チューナ制御モジュール１３２および第３チューナ制御モジュール１３７から受け取った全帯域チャネル情報とを比較し、フラッシュＲＯＭ２３に記憶されたチャネルリスト２３ａに含まれていない情報を補充してチャネルリスト２３ａを更新する（Ｓ５２）。
【００５６】
チャネルリスト２３ａが更新されると、第２チューナ制御モジュール１３２および第３チューナ制御モジュール１３７は、第２チューナ１２ｂおよび第３チューナ１２ｃの動作を停止させる。以後の動作は第１の実施形態と共通である。
【００５７】
この実施形態の受信機２によれば、フルスキャン動作させる周波数帯域を二つに分割して同時並行にフルスキャンさせるので、第１の実施形態と比較して最終的にチャネルリストが更新されるまでの時間を短縮することができる。なお、この実施形態では、第２チューナ１２ｂおよび第３チューナ１２ｃの二つでフルスキャン動作を行うものとして説明したが、これには限定されない。３つ以上のチューナを用いて、より狭い周波数帯域単位に分割して同時並行にフルスキャン動作させてもよい。
【００５８】
なお、本発明は上記実施形態およびその動作例のみに限定されるものではない。すなわち、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００５９】
本発明は、電子機器製造業において利用することができる。
【符号の説明】
【００６０】
１…受信機、１１…アンテナ、１２ａ／１２ｂ…第１チューナ／第２チューナ、１３…逆多重化モジュール、１４…記憶部、１５…再生処理モジュール、１６…ビデオデコーダ、１７…オーディオデコーダ、１８…画像処理モジュール、１９…表示デバイス、２０…音声処理モジュール、２１…スピーカ、２２…ＣＰＵ、２３…フラッシュＲＯＭ、２４…チャネル制御モジュール、２５…入力デバイス、２６…バス。
【図１】
2011055114.tif 000003
【図２】
2011055114.tif 000004
【図３】
2011055114.tif 000005
【図４】
2011055114.tif 000006
【図５】
2011055114.tif 000007
【図６】
2011055114.tif 000008
【手続補正書】
【提出日】平成22年5月17日(2010.5.17)
【手続補正１】
【補正対象書類名】明細書
【補正対象項目名】０００７
【補正方法】変更
【補正の内容】
【０００７】
上記した目的を達成するために、本発明の一つの態様に係る受信機は、チャネルを含むチャネルリストに基づいてチャネルを選択する受信機であって、チャネルリストを記憶するメモリと、所定の周波数帯域の一部の周波数をスキャンして、該スキャンする一部の周波数で受信された第１のチャネルに対応するサービスの情報を含む第１のサービス情報を受信する第１のチューナと、第１のサービス情報に基づいてチャネルリストを生成し、メモリにチャネルリストを記憶するチャネルリスト生成部と、第１のチューナによるスキャンと並行して、所定の周波数帯域をスキャンして、受信された第２のチャネルに対応するサービスの情報を含む第２のサービス情報を受信する第２のチューナと、第２のチューナによる前記スキャンが完了した後、第２のサービス情報に基づいて、メモリのチャネルリストを更新するチャネルリスト更新モジュールとを具備する。
【手続補正２】
【補正対象書類名】特許請求の範囲
【補正対象項目名】全文
【補正方法】変更
【補正の内容】
【特許請求の範囲】
【請求項１】
チャネルを含むチャネルリストに基づいてチャネルを選択する受信機であって、
前記チャネルリストを記憶するメモリと、
所定の周波数帯域の一部の周波数をスキャンして、該スキャンする前記一部の周波数で受信された第１のチャネルに対応するサービスの情報を含む第１のサービス情報を受信する第１のチューナと、
前記第１のサービス情報に基づいて前記チャネルリストを生成し、前記メモリに前記チャネルリストを記憶するチャネルリスト生成部と、
前記第１のチューナによるスキャンと並行して、前記所定の周波数帯域をスキャンして、受信された第２のチャネルに対応するサービスの情報を含む第２のサービス情報を受信する第２のチューナと、
前記第２のチューナによる前記スキャンが完了した後、前記第２のサービス情報に基づいて、前記メモリの前記チャネルリストを更新するチャネルリスト更新モジュールと
を具備したことを特徴とする受信機。
【請求項２】
ユーザからのコマンドを受信する入力デバイスをさらに具備し、
前記第１のチューナは、前記第１のチューナによるスキャンの終了および前記入力デバイスによる前記コマンドの受信の後に、生成した前記チャネルリストの中の前記チャネルから所定の放送波を選択すること
を特徴とする請求項１記載の受信機。
【請求項３】
前記第２のチューナは、前記所定の周波数帯域を複数の周波数帯域に分割し、
前記第２のチューナは、分割した前記周波数帯域をスキャンする複数のサブチューナを備え、
前記第２のチューナは、前記複数のサブチューナのスキャン結果を結合し、結合した結果を出力すること
を特徴とする請求項１記載の受信機。
【請求項４】
前記第１のチューナからの信号を復調する復調部をさらに備え、
前記第１のチューナは、前記メモリの生成したチャネルリストの中で受信した前記チャネルから所定の放送波を選択して前記復調部に与えること
を特徴とする請求項１記載の受信機。
【請求項５】
前記第１のチューナは、前記第２のチューナによる前記スキャンが完了する前に、生成した前記チャネルリストの中で受信した前記チャネルから所定の放送波を選択して前記復調部に与えること
を特徴とする請求項４記載の受信機。
【請求項６】
チャネルを含むチャネルリストに基づいてチャネルを選択する受信機における受信方法であって、
所定の周波数帯域のうち一部の周波数をスキャンし、
前記一部の周波数のスキャンと並行して、前記所定の周波数帯域をスキャンし、
前記一部の周波数のスキャンの間に受信した前記チャネルに対応するサービスの情報を含む第１のサービス情報を受信し、
前記第１のサービス情報に基づいて前記チャネルリストを生成して該生成したチャネルリストをメモリに記憶し、
前記所定の周波数帯域をスキャンする間、受信した前記チャネルに対応するサービスの情報を含む第２のサービス情報を受信し、
前記第２のサービス情報に基づいて、前記メモリの前記チャネルリストを更新すること
を特徴とする受信方法。
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
チャネルを含むチャネルリストに基づいてチャネルを選択する受信機であって、
前記チャネルリストを記憶するメモリと、
所定の周波数帯域の一部の周波数をスキャンして、該スキャンする前記一部の周波数で受信された第１のチャネルに対応するサービスの情報を含む第１のサービス情報を受信する第１のチューナと、
前記第１のサービス情報に基づいて前記チャネルリストを生成し、前記メモリに前記チャネルリストを記憶するチャネルリスト生成部と、
前記第１のチューナによるスキャンと並行して、前記所定の周波数帯域の全域の周波数をスキャンして、受信された第２のチャネルに対応するサービスの情報を含む第２のサービス情報を受信する第２のチューナと、
前記第２のチューナによる前記スキャンが完了した後、前記第２のサービス情報に基づいて、前記メモリの前記チャネルリストを更新するチャネルリスト更新モジュールと
を具備したことを特徴とする受信機。
【請求項２】
ユーザからのコマンドを受信する入力デバイスをさらに具備し、
前記第１のチューナは、前記第１のチューナによるスキャンの終了および前記入力デバイスによる前記コマンドの受信の後に、生成した前記チャネルリストの中の前記チャネルから所定の放送波を選択すること
を特徴とする請求項１記載の受信機。
【請求項３】
前記第２のチューナは、前記所定の周波数帯域を複数の周波数帯域に分割し、
前記第２のチューナは、分割した前記周波数帯域をスキャンする複数のサブチューナを備え、
前記第２のチューナは、前記複数のサブチューナのスキャン結果を結合し、結合した結果を出力すること
を特徴とする請求項１記載の受信機。
【請求項４】
前記第１のチューナからの信号を復調する復調部をさらに備え、
前記第１のチューナは、前記メモリの生成したチャネルリストの中で受信した前記チャネルから所定の放送波を選択して前記復調部に与えること
を特徴とする請求項１記載の受信機。
【請求項５】
前記第１のチューナは、前記第２のチューナによる前記スキャンが完了する前に、生成した前記チャネルリストの中で受信した前記チャネルから所定の放送波を選択して前記復調部に与えること
を特徴とする請求項４記載の受信機。
【請求項６】
チャネルを含むチャネルリストに基づいてチャネルを選択する受信機における受信方法であって、
所定の周波数帯域のうち一部の周波数をスキャンし、
前記一部の周波数のスキャンと並行して、前記所定の周波数帯域の全域の周波数をスキャンし、
前記一部の周波数のスキャンの間に受信した前記チャネルに対応するサービスの情報を含む第１のサービス情報を受信し、
前記第１のサービス情報に基づいて前記チャネルリストを生成して該生成したチャネルリストをメモリに記憶し、
前記所定の周波数帯域の全域の周波数をスキャンする間、受信した前記チャネルに対応するサービスの情報を含む第２のサービス情報を受信し、
前記第２のサービス情報に基づいて、前記メモリの前記チャネルリストを更新すること
を特徴とする受信方法。
【手続補正２】
【補正対象書類名】明細書
【補正対象項目名】０００７
【補正方法】変更
【補正の内容】
【０００７】
上記した目的を達成するために、本発明の一つの態様に係る受信機は、チャネルを含むチャネルリストに基づいてチャネルを選択する受信機であって、チャネルリストを記憶するメモリと、所定の周波数帯域の一部の周波数をスキャンして、該スキャンする一部の周波数で受信された第１のチャネルに対応するサービスの情報を含む第１のサービス情報を受信する第１のチューナと、第１のサービス情報に基づいてチャネルリストを生成し、メモリにチャネルリストを記憶するチャネルリスト生成部と、第１のチューナによるスキャンと並行して、所定の周波数帯域の全域の周波数をスキャンして、受信された第２のチャネルに対応するサービスの情報を含む第２のサービス情報を受信する第２のチューナと、第２のチューナによる前記スキャンが完了した後、第２のサービス情報に基づいて、メモリのチャネルリストを更新するチャネルリスト更新モジュールとを具備する。